(57)【要約】【課題】光ケーブルの製造で、上巻テープがスロットの外面に巻き付けられるまで光ファイバ心線がスロットの溝から外に飛び出さないようにし、粗巻き紐無しでの光ケーブルの製造方法を提供する。【解決手段】ＳＺ溝付のスロット１２内に光ファイバ心線１４を収納した後、スロット１２の外周に上巻テープ１６を巻き付け、次いで、シースで被覆する光ケーブルの製造方法で、光ファイバ心線１４をスロットのＳＺ溝１２ａ内に収納してから上巻テープ１６を巻き付ける区間で、光ファイバ心線１４がＳＺ溝１２ａ内から飛び出ないようにガイド部材２０を通して、スロット１２を移送することを特徴とする。前記のガイド部材２０は、例えば、複数の円筒状のガイド２１、コイル状のガイド２２、複数の紐巻き状のガイド２３で形成することができる。【選択図】図２
2010243592.tif 000002
【特許請求の範囲】
【請求項１】
ＳＺ溝付のスロット内に光ファイバ心線を収納した後、前記スロットの外周に上巻テープを巻き付け、次いで、シースで被覆する光ケーブルの製造方法であって、
前記光ファイバ心線をスロットのＳＺ溝内に収納してから前記上巻テープを巻き付ける区間で、前記光ファイバ心線が前記ＳＺ溝内から飛び出ないようにガイド部材を通して、前記スロットを移送することを特徴とする光ケーブルの製造方法。
【請求項２】
前記ガイド部材は、複数の円筒状のガイドで形成されていることを特徴とする請求項１に記載の光ケーブルの製造方法。
【請求項３】
前記ガイド部材は、コイル状のガイドで形成されていることを特徴とする請求項１に記載の光ケーブルの製造方法。
【請求項４】
前記ガイド部材は、複数の紐巻き状のガイドで形成されていることを特徴とする請求項１に記載の光ケーブルの製造方法。
【発明の詳細な説明】
【技術分野】
【０００１】
本発明は、ＳＺ溝付きスロットの溝内に多数本の光ファイバ心線を収納し、スロットの外周を上巻テープおよびシースを施してなる光ケーブルに関する。
【背景技術】
【０００２】
光ファイバによる家庭向けのデータ通信サービス（ＦＴＴＨ：Fiber To The Home）の加入者に対して、幹線光ケーブル等からドロップ光ケーブルを用いて引き落されている。加入者宅への光ファイバの引き落しは、例えば、市街の電柱等に布設された幹線光ケーブルを、通常、クロージャと称されている接続函で分岐し、分岐された光ファイバ心線にドロップ光ケーブルを融着接続又は光コネクタを用いて接続している。
【０００３】
幹線光ケーブルは、例えば、図３（Ａ）に示すように、ＳＺ状に形成された複数条の溝２ａを有し、中心にテンションメンバ３を埋設した樹脂製のロッドからなるスロット２（スペーサとも言う）が用いられる。スロット２の溝２ａには、複数本の単心の光ファイバ心線あるいは多心の光ファイバテープ心線（以下、テープ心線も含めて光ファイバ心線と言う）４を収納している。
【０００４】
ＳＺ状の溝２ａを有するスロット２を用いた光ケーブル１は、光ケーブルの収納長がＳＺ溝２ａの溝方向が反転する反転部間を結ぶ距離より長くなるため、図３（Ｂ）に示すように、ケーブル中間部で光ファイバ心線４を取り出すのが容易であるという利点がある。しかし、光ケーブルの製造工程においては、溝２ａに収納した光ファイバ心線４が外に飛び出しやすいという欠点も併せ持っている。
【０００５】
そのため、ケーブル製造の集線工程中で、スロット内に収納した光ファイバ心線４が溝２ａから脱落するのを防止するのに、多数の光ファイバ心線４を集線して溝２ａ内に収納した後、直ちに粗巻き紐５を巻き付けている。そして、この粗巻き紐５の上から、上巻テープ６（押え巻とも言う）を巻き付けて、光ファイバ心線４を覆っている。そして、上巻テープ６の外側を、押出し成形によるシース７（外被とも言う）により被覆した形状のものが一般的である。（例えば、特許文献１参照）
【０００６】
しかし、光ファイバを引き落とす場合、幹線光ケーブル１の中間部分のシース７を部分的に切裂いて剥ぎ取り、露出された上巻テープ６を除去し、次いで、粗巻き紐５を解すという作業が行なわれるが、粗巻き紐５を取り除く作業は煩雑で手間を要するという問題があった。また、光ケーブルを解体する場合、シース７を切裂いてリサイクル用として回収すると共に、上巻テープ６と粗巻き紐５は、短く切断して廃棄しているが、粗巻き紐５の切断が上手くいかず、溜りとなって連続的な解体作業を中断させたりするなどの問題があった。
【０００７】
この問題を解決する方法として、図３（Ｃ）に示すように、上巻テープ６を開き巻きで形成し、上巻テープ６の隙間６ａの部分から粗巻き紐５ａの一部が露出するようにし、シース７の成形時の熱でシース７の内面に融着させる方法が知られている。（例えば、特許文献２参照）
この方法によれば、シース７を剥ぎ取る際に、粗巻き紐５の融着部分が切断されるので、粗巻き紐５の切断除去が容易となり、中間分岐作業を効率よく実施することが可能となる。また、解体作業においても、粗巻き紐５の絡まりや溜りをなくし、スムーズな解体を行なうことが可能とされている。
【先行技術文献】
【特許文献】
【０００８】
【特許文献１】特開２００７−２１２５２３号公報
【特許文献２】特開２００８−１０７７５７号公報
【発明の概要】
【発明が解決しようとする課題】
【０００９】
しかしながら、従来の光ケーブル１は、シース７を成形する際に、シース樹脂の成形温度の管理を高レベルで行なう必要があるという問題がある。また、粗巻き紐５は、光ケーブルの製造段階では必要であり、上巻テープが施された後は不要であるという性質のものであるが、上巻テープの下に巻き付けられているので、除去するのも難しい。しかし、この粗巻き紐があると、中間分岐作業や解体作業で、粗巻き紐を除去するための煩雑さがあり、作業性を低下させる要因となっている。
【００１０】
本発明は、上述した実情に鑑みてなされたもので、光ケーブルの製造で、上巻テープがスロットの外面に巻き付けられるまで光ファイバ心線がスロットの溝から外に飛び出さないようにし、粗巻き紐を有しない解体性のよい光ケーブルの製造方法を提供することを目的とする。
【課題を解決するための手段】
【００１１】
本発明による光ケーブルの製造方法は、ＳＺ溝付のスロット内に光ファイバ心線を収納した後、スロットの外周に上巻テープを巻き付け、次いで、シースで被覆する光ケーブルの製造方法で、光ファイバ心線をスロットのＳＺ溝内に収納してから上巻テープを巻き付ける区間で、光ファイバ心線がＳＺ溝内から飛び出ないようにガイド部材を通して、スロットを移送することを特徴とする。
前記のガイド部材は、例えば、複数の円筒状のガイド、コイル状のガイド、複数の紐巻き状のガイドで形成することができる。
【発明の効果】
【００１２】
本発明によれば、光ファイバ心線をスロット内に収納した時点からスロットの外周に上巻テープを巻き付けるまでの区間、ガイド部材によりスロットの溝内に光ファイバ心線を収納保持させた状態に保つことができるので、粗巻き紐を用いる必要がなくなり、粗巻き紐を有しない解体性のよい光ケーブルを製造することが可能となる。この結果、光ケーブルの中間分岐作業や解体作業で、粗巻き紐の除去による煩雑さが解消され、作業性を改善することができる。
【図面の簡単な説明】
【００１３】
【図１】本発明の製造方法により製造された光ケーブルの概略を説明する図である。
【図２】本発明による光ケーブルの製造方法の実施形態を説明する図である。
【図３】従来技術を説明する図である。
【発明を実施するための形態】
【００１４】
本発明の製造方法により製造された光ケーブルは、図１（Ａ）に示すように、ＳＺ状に形成された複数条の溝１２ａを有し、中心にテンションメンバ１３を埋設した樹脂製のロッドからなるスロット１２が用いられる。スロット１２のＳＺ溝１２ａには、複数本の単心の光ファイバ心線あるいは多心の光ファイバテープ心線（以下、テープ心線も含めて光ファイバ心線という）１４が収納される。
【００１５】
光ファイバ心線１４が収納されたスロット１２の外面には、上巻テープ１６が巻き付けられ、ＳＺ溝１２ａ内の光ファイバ心線１４が外に飛び出るのを防止する。また、上巻テープ１６は、開き巻きあるいは重ね巻きのいずれでもよく、シース１７の成形時の熱が収納されている光ファイバ心線に及ばないように熱絶縁すると共に、上巻テープ１６に吸水性のものを用いることにより、防水機能を持たせることもできる。上巻テープ１６の外周には、ポリエチレンやポリ塩化ビニル等の樹脂で、押出し成形によるシース１７（外被ともいう）が形成される。
【００１６】
ＳＺ溝１２ａを有するスロット１２を用いた光ケーブル１１は、光ファイバの収納長がＳＺ溝１２ａの溝方向が反転する反転部間を結ぶ距離より長くなる。このため、ケーブル中間部で光ファイバ心線１４を取り出すのが容易であるという利点がある。しかし、図１（Ｂ）に示すように、光ケーブルの製造工程においては、収納ヘッド１８でＳＺ溝１２ａに集線収納された光ファイバ心線１４は、上巻テープ１６を巻き付けるまでに、１ｍ〜２ｍ程度の区間距離が必要とされる。
【００１７】
このため、収納ヘッド１８から上巻テープ１６を巻き付けるまでの区間で、光ファイアバ心線１４がスロット１２の外に飛び出してしまう。このため、図３で説明したように、多数本の光ファイバ心線を集線しスロット内に収納した後、直ちに粗巻き紐をスロットの外周に巻き付けて、光ファイアバ心線がスロット１２の外に飛び出さないようにする必要がある。
【００１８】
この後、上巻テープが巻き付けられるが、上巻テープが巻き付けられた後は、粗巻き紐はその役目を終えて光ケーブルの機能上からは必要がなくなる。しかし、上巻テープを巻き付けた後、粗巻き紐を除去することは困難であるのでそのままとされるが、光ファイバの中間分岐や、光ケーブルの解体時には、粗巻き紐が残っていることはその除去の作業性を悪くしている。
上述した図１（Ａ）に示す光ケーブル１１は、粗巻き紐を有しない構成であるため、上記のような光ファイバの中間分岐や、光ケーブルの解体時の作業性を向上させることが可能となる。
【００１９】
図２は、本発明による光ケーブルの製造に際して、上巻テープ１２を巻き付けるまでに、光ファイバ心線１４がスロット１２から飛び出ないようにガイドするガイド部材２０の実施形態を説明する図である。ガイド部材２０は、収納ダイス１８から出たスロット１２が、上巻テープ１６が巻き付けられるまでの区間に配され、支持部材１９等により支持される。このガイド部材２０は、前記の区間でスロット１２のＳＺ溝１２ａ内に収納された光ファイバ心線１４が、ＳＺ溝１２ａから外に飛び出ない程度に収納保持して、スロット１２を移送する。
【００２０】
図２（Ａ）は、ガイド部材２０として、円筒状のガイド２１を用いる例を示している。この円筒状のガイド２１は、スロット１２のＳＺ溝１２ａ内に収納された光ファイバ心線１４が、ＳＺ溝１２ａから外に飛び出ないように保持挿通する内径を有する円筒体で形成される。この円筒状のガイド２１は、金属またはプラスチックで形成することができ、スロット１２の挿入口は、丸みを付けて挿通がスムーズに行えるようにする。
【００２１】
また、円筒状のガイド２１は、収納ダイス１８の出口部分から上巻テープ１６を巻き付ける間の区間で、全長をカバーする長さのものであってもよいが、図２（Ａ）に示すように、複数に分割して部分的にガイドするようにしてもよい。複数の部分的なガイド２１を用いる場合、ガイドされない区間が生じるが、この区間の距離ＬはＳＺ溝１２ａが反転する１周期の長さの１／２以下とする。ガイドされない区間が、この距離以下であれば、光ファイバ心線１４がスロット１２から外に飛び出さずに移送させることが可能である。
【００２２】
図２（Ｂ）は、ガイド部材２０として、コイル状のガイド２２を用いる例を示している。このコイル状のガイド２２は、スロット１２のＳＺ溝１２ａ内に収納された光ファイバ心線１４が、ＳＺ溝１２ａから外に飛び出ないように保持挿通するコイル径を有する。このコイル状のガイド２２は、金属またはプラスチックで形成することができ、軸方向に伸縮可能であるので、長さを調節することができる。また、コイル状であるのでスロット１２を通線した後であっても、外部に螺旋状に回転させてスロット１２の外面に配置することができる。
【００２３】
図２（Ｃ）は、ガイド部材２０として、紐巻き状のガイド２３を用いる例を示している。この紐巻き状のガイド２３は、スロット１２のＳＺ溝１２ａ内に収納された光ファイバ心線１４が、ＳＺ溝１２ａから外に飛び出ない程度で、スロット１２が移動可能にスロット１２の外周に間欠的に巻き付ける。この紐巻き状のガイド２３は、金属またはプラスチックで形成することができ、スロット１２を通線した後であっても、スロット１２の外面に巻き付けることで配置することができる。なお、紐巻き状のガイド２３の間欠間隔Ｌは、図２（Ａ）の場合と同様に、ＳＺ溝１２ａが反転する１周期の長さの１／２以下とする。
【００２４】
上述したように光ケーブルの製造において、収納ダイス１８で複数の光ファイバ心線１４をスロット１２のＳＺ溝１２ａに収納した後、上巻テープ１６を巻き付けるまでの区間に、ガイド部材２０を配することにより、粗巻き紐を用いることなく、上巻テープ１６で光ファイバ心線１４を収納保持することが可能となる。この結果、粗巻き紐を有しない光ケーブルを製造することが可能となり、中間分岐における光ファイバの取り出しが容易となって作業時間の短縮をはかることができ、また、光ケーブルの解体の作業性を向上させることもできる。
【符号の説明】
【００２５】
１，１１…光ケーブル、２，１２…スロット、２ａ，１２ａ…ＳＺ溝、４，１４…光ファイバ心線（光ファイバテープ心線を含む）、５…粗巻き紐、６，１６…上巻テープ、７，１７…シース、１８…収納ヘッド、１９…ガイド支持体、２０…ガイド部材、２１…円筒状のガイド、２２…コイル状のガイド、２３…紐巻き状のガイド。
【図１】
2010243592.tif 000003
【図２】
2010243592.tif 000004
【図３】
2010243592.tif 000005